(57)【特許請求の範囲】
【請求項１】
冷媒を圧縮する圧縮機、前記冷媒と室内の空気とを熱交換する室内熱交換器、冷媒を膨張する膨張弁、および前記冷媒と室外の空気とを熱交換する室外熱交換器が配管で接続され、前記室内熱交換器は室内に設置される室内機に設けられ、前記圧縮機、前記膨張弁、および前記室外熱交換器は室外に設置される室外機に設けられる冷凍サイクル装置において、
前記室内熱交換器と前記膨張弁との間を接続する配管である液管、
前記圧縮機と前記室内熱交換器との間を接続する配管であるガス管、
前記液管に設けられる液管弁、
前記ガス管に設けられるガス管弁、
前記室内に設けられ前記冷媒の漏洩を検知する室内漏洩検知センサ、
および暖房運転の際に前記室内漏洩検知センサが前記冷媒の漏洩を検知した場合に、前記ガス管弁を閉じ、前記膨張弁を全開として、前記室内機側の冷媒を回収した後に前記液管弁を閉じる制御装置を備えたことを特徴とする冷凍サイクル装置。
【請求項２】
冷媒を圧縮する圧縮機、前記冷媒と室内の空気とを熱交換する室内熱交換器、冷媒を膨張する膨張弁、前記冷媒と室外の空気とを熱交換する室外熱交換器および冷房運転の際には前記圧縮機の吐出側から前記室外熱交換器へ冷媒が流れるよう流路を構成するとともに暖房運転の際には前記圧縮機の吐出側から前記室内熱交換器へ前記冷媒が流れるよう流路を構成する四方弁が配管で接続され、前記室内熱交換器は室内に設置される室内機に設けられ、前記圧縮機、前記膨張弁、前記室外熱交換器および前記四方弁は室外に設置される室外機に設けられる冷凍サイクル装置において、
前記室内熱交換器と前記膨張弁との間を接続する配管である液管、
前記圧縮機と前記室内熱交換器との間を接続する配管であるガス管、
前記液管に設けられる液管弁、
前記ガス管に設けられるガス管弁、
前記室内に設けられ前記冷媒の漏洩を検知する室内漏洩検知センサ、
および暖房運転の際に前記室内漏洩検知センサが前記冷媒の漏洩を検知した場合に、前記ガス管弁を閉じ、前記膨張弁を全開として、前記室内機側の冷媒を回収した後に前記液管弁を閉じる制御装置を備えたことを特徴とする冷凍サイクル装置。
【請求項３】
冷凍サイクル装置は、室外機に設けられ冷媒の漏洩を検知する室外漏洩検知センサ、圧縮機の吸入側の配管に設けられる吸入弁、前記圧縮機および前記吸入弁の間の配管と液管弁および室内熱交換器の間の液管とを接続するバイパス管、および前記バイパス管に設けられるバイパス弁を備え、
制御装置は、暖房運転の際に、室内漏洩検知センサおよび前記室外漏洩検知センサが冷媒の漏洩を検知した場合に、前記バイパス弁を開け、膨張弁を全開とし、冷媒をガス管に回収した後に前記バイパス弁および前記吸入弁を閉じることを特徴とする請求項１または２に記載の冷凍サイクル装置。
【請求項４】
冷媒を圧縮する圧縮機、前記冷媒と室内の空気とを熱交換する室内熱交換器、冷媒を膨張する膨張弁、および前記冷媒と室外の空気とを熱交換する室外熱交換器が配管で接続され、前記室内熱交換器は室内に設置される室内機に設けられ、前記圧縮機、前記膨張弁、および前記室外熱交換器は室外に設置される室外機に設けられ、前記室内熱交換器と前記膨張弁との間を接続する配管である液管、前記圧縮機と前記室内熱交換器との間を接続する配管であるガス管、前記液管に設けられる液管弁、前記ガス管に設けられるガス管弁、前記室内に設けられ前記冷媒の漏洩を検知する室内漏洩検知センサを備えた冷凍サイクル装置の制御方法において、
暖房運転の際に前記室内漏洩検知センサが前記冷媒の漏洩を検知した場合に、前記ガス管弁を閉じ、前記膨張弁を全開として、前記室内機側の冷媒を回収した後に前記液管弁を閉じることを特徴とする冷凍サイクル装置の制御方法。
【請求項５】
冷媒を圧縮する圧縮機、前記冷媒と室内の空気とを熱交換する室内熱交換器、冷媒を膨張する膨張弁、前記冷媒と室外の空気とを熱交換する室外熱交換器および冷房運転の際には前記圧縮機の吐出側から前記室外熱交換器へ冷媒が流れるよう流路を構成するとともに暖房運転の際には前記圧縮機の吐出側から前記室内熱交換器へ前記冷媒が流れるよう流路を構成する四方弁が配管で接続され、前記室内熱交換器は室内に設置される室内機に設けられ、前記圧縮機、前記膨張弁、前記室外熱交換器および前記四方弁は室外に設置される室外機に設けられ、前記室内熱交換器と前記膨張弁との間を接続する配管である液管、前記圧縮機と前記室内熱交換器との間を接続する配管であるガス管、前記液管に設けられる液管弁、前記ガス管に設けられるガス管弁、前記室内に設けられ前記冷媒の漏洩を検知する室内漏洩検知センサを備えた冷凍サイクル装置の制御方法において、
暖房運転の際に前記室内漏洩検知センサが前記冷媒の漏洩を検知した場合に、前記ガス管弁を閉じ、前記膨張弁を全開として、前記室内機側の冷媒を回収した後に前記液管弁を閉じることを特徴とする冷凍サイクル装置の制御方法。
【請求項６】
冷凍サイクル装置は、室外機に設けられ冷媒の漏洩を検知する室外漏洩検知センサ、圧縮機の吸入側の配管に設けられる吸入弁、前記圧縮機および前記吸入弁の間の配管と液管弁および室内熱交換器の間の液管とを接続するバイパス管、および前記バイパス管に設けられるバイパス弁を備え、
暖房運転の際に、室内漏洩検知センサおよび前記室外漏洩検知センサが冷媒の漏洩を検知した場合に、前記バイパス弁を開け、膨張弁を全開とし、冷媒をガス管に回収した後に前記バイパス弁および前記吸入弁を閉じることを特徴とする請求項４または５に記載の冷凍サイクル装置の制御方法。
【請求項７】
冷凍サイクル装置は、室外機に設けられ冷媒の漏洩を検知する室外漏洩検知センサ、
圧縮機の吸入側の配管に設けられる吸入弁、
前記圧縮機と前記吸入弁との間の配管と液管とを接続するバイパス管、
前記バイパス管に設けられるバイパス弁を備え、
冷房運転の際に、室内漏洩検知センサおよび前記室外漏洩検知センサが冷媒の漏洩を検知した場合に、ガス管弁を閉じ、圧縮機を停止して膨張弁を全開にした後に液管弁を閉じ、四方弁を暖房運転に切り替えた後に前記圧縮機を運転し、前記バイパス弁を開け、冷媒をガス管に回収した後に前記バイパス弁および前記吸入弁を閉じることを特徴とする請求項５に記載の冷凍サイクル装置の制御方法。
【請求項８】
冷凍サイクル装置は、圧縮機の吸入側の配管に圧力センサを備え、
前記圧力センサの値に基づいて冷媒を回収したと判断することを特徴とする請求項４か
ら７のいずれか１項に記載の冷凍サイクル装置の制御方法。
【発明の詳細な説明】
【技術分野】
【０００１】
この発明は、冷媒を用いて空調または給湯行う冷凍サイクル装置およびその冷凍サイクル装置の制御方法に関するものである。
【背景技術】
【０００２】
冷媒を用いて空調または給湯を行う冷凍サイクル装置においては、室内に冷媒が漏洩すると、居住環境が悪化するおそれがあり、室外に冷媒が漏洩すると、地球温暖化係数の高い冷媒を用いている場合には、当該冷媒が大気中に放出されることになるので、冷媒の漏洩量をできるだけ低減する必要がある。
【０００３】
従来の冷凍サイクル装置においては、室内ユニットと室外ユニットとをガス配管および液配管で冷媒回路を形成し、各配管途中にガス配管開閉弁および液配管開閉弁を設け、暖房運転の際に冷媒の漏洩を検知する漏洩検知装置が冷媒の漏洩を検知したときに、冷房運転に切り替えてから液配管開閉弁を閉じ、冷媒をガス配管を介して室外ユニットに回収した後、ガス配管開閉弁を閉じるものがある（例えば、特許文献１）。
【先行技術文献】
【特許文献】
【０００４】
【特許文献１】特開平５−１１８７２０号公報（第４頁、図４）
【発明の概要】
【発明が解決しようとする課題】
【０００５】
上記のような冷凍サイクル装置においては、ガス管側に比べて液管側に多くの冷媒が滞留しているので、冷媒の漏洩を検知したときにガス管を介して冷媒を回収すると、速やかに回収できないという問題がある。
【０００６】
本発明は、かかる問題点を解決するためになされたものであり、冷媒の漏洩を検知したときに速やかに冷媒を回収できる冷凍サイクル装置を提供することを目的としている。
【課題を解決するための手段】
【０００７】
この発明による冷凍サイクル装置は、冷媒を圧縮する圧縮機、前記冷媒と室内の空気とを熱交換する室内熱交換器、冷媒を膨張する膨張弁、および前記冷媒と室外の空気とを熱交換する室外熱交換器が配管で接続され、前記室内熱交換器は室内に設置される室内機に設けられ、前記圧縮機、前記膨張弁、および前記室外熱交換器は室外に設置される室外機に設けられる冷凍サイクル装置において、前記室内熱交換器と前記膨張弁との間を接続する配管である液管、前記圧縮機と前記室内熱交換器との間を接続する配管であるガス管、前記液管に設けられる液管弁、前記ガス管に設けられるガス管弁、前記室内に設けられ前記冷媒の漏洩を検知する室内漏洩検知センサ、および暖房運転の際に前記室内漏洩検知センサが前記冷媒の漏洩を検知した場合に、前記ガス管弁を閉じ、前記膨張弁を全開として、前記室内機側の冷媒を回収した後に前記液管弁を閉じる制御装置を備えたものである。
【０００８】
また、この発明による冷凍サイクル装置の制御方法は、冷媒を圧縮する圧縮機、前記冷媒と室内の空気とを熱交換する室内熱交換器、冷媒を膨張する膨張弁、および前記冷媒と室外の空気とを熱交換する室外熱交換器が配管で接続され、前記室内熱交換器は室内に設置される室内機に設けられ、前記圧縮機、前記膨張弁、および前記室外熱交換器は室外に設置される室外機に設けられ、前記室内熱交換器と前記膨張弁との間を接続する配管である液管、前記圧縮機と前記室内熱交換器との間を接続する配管であるガス管、前記液管に設けられる液管弁、前記ガス管に設けられるガス管弁、前記室内に設けられ前記冷媒の漏洩を検知する室内漏洩検知センサを備えた冷凍サイクル装置の制御方法において、暖房運転の際に前記室内漏洩検知センサが前記冷媒の漏洩を検知した場合に、前記ガス管弁を閉じ、前記膨張弁を全開として、前記室内機側の冷媒を回収した後に前記液管弁を閉じるものである。
【発明の効果】
【０００９】
この発明の冷凍サイクル装置および冷凍サイクル装置の制御方法によれば、冷媒の漏洩を検知したときに速やかに冷媒を回収できる。
【図面の簡単な説明】
【００１０】
【図１】この発明の実施の形態１による冷凍サイクル装置の構成を示す概略図である。
【図２】この発明の実施の形態２による冷凍サイクル装置の構成を示す概略図である。
【発明を実施するための形態】
【００１１】
実施の形態１．
図１は、この発明の実施の形態１による冷凍サイクル装置の構成を示す概略図である。図において、同一の符号を付したものは、同一またはこれに相当するものであり、このことは、明細書の全文において共通することである。
【００１２】
図１において、冷凍サイクル装置は、室内に設置される室内機１および室外に設置される室外機２を備えている。室内機１には、室内の空気と冷媒とを熱交換する室内熱交換器１０および室内熱交換器１０に室内の空気を送る室内ファン１１が設けられる。室外機２には、室外の空気と冷媒とを熱交換する室外熱交換器７、室外熱交換器７に室外の空気を送る室外ファン８、冷媒を圧縮する圧縮機５、冷媒を膨張する膨張弁９、および暖房運転と冷房運転とで流路を切り替える四方弁６が設けられる。図１の四方弁６において、実線は暖房運転の冷媒回路を示し、破線は冷房運転の冷媒回路を示す。
【００１３】
室内熱交換器１０、膨張弁９、室外熱交換器７、四方弁６および圧縮機５は、配管で接続され、冷媒回路を構成している。室内熱交換器１０と膨張弁９との間を接続する配管を液管４とし、室内熱交換器１０と圧縮機５との間を接続する配管をガス管３とし、冷媒回路の圧力損失を低減するためにガス管３の流路断面積（ここでは、直径）は、液管４の流路断面積（ここでは、直径）に比べて大きくなっている。また、冷凍サイクル装置は、ガス管３の室内機１と室外機２との間に電磁開閉弁であるガス管弁１３を設け、液管４の室内機１と室外機２との間に電磁開閉弁である液管弁１４を設けている。さらに、室内機１に冷媒の漏洩を検知する室内漏洩検知センサ１２を設け、室外機２に冷媒の漏洩を検知する室外漏洩検知センサ２２を設けている。また、ガス管弁１３は、図１では室内機１と室外機２との間に設置しているが、回収する冷媒量に応じて必要な容積を確保できればよく、室内機１側に設けてもよい。また、液管弁１４は、室内機１と室外機２との間に設置しているが、室外機側に設けても良い。また、通常運転中、ガス管弁１３および液管弁１４は、開いた状態になっている。図１には示していないが、冷凍サイクル装置は、圧縮機５、四方弁６、ガス管弁１３、液管弁１４、膨張弁９、室外ファン８、室内ファン１１、室内漏洩検知センサ１２および室外漏洩検知センサ２２に電気的に接続され、それぞれの機器を制御する制御装置を備えている。
【００１４】
図１に示す冷凍サイクル装置の通常時の運転動作について説明する。
まず、暖房運転の際の冷凍サイクル装置の動作について説明する。
圧縮機５で圧縮されたガス冷媒は、四方弁６を通り、実線で示すようにガス管３およびガス管弁１３を経由して、室内熱交換器１０に送られる。室内熱交換器１０に送られたガス冷媒は、空気と熱交換し、液化される。室内熱交換器１０で液化した冷媒は、液管４および液管弁１４を経由して膨張弁９に送られ、膨張弁９で減圧される。膨張弁９で減圧され気液二相となった冷媒は、室外熱交換器７に送られ、空気と熱交換し、気化される。気化した冷媒は、四方弁６を通り圧縮機５に戻り、上記冷凍サイクルを繰り返す。
【００１５】
次に、冷房運転の際の冷凍サイクル装置の動作について説明する。
圧縮機５で圧縮されたガス冷媒は、四方弁６を通り、破線で示すように室外熱交換器７に送られる。室内熱交換器７に送られたガス冷媒は、空気と熱交換し、液化される。室内熱交換器７で液化した冷媒は、膨張弁９に送られ、膨張弁９で減圧される。膨張弁９で減圧され気液二相となった冷媒は、液管４および液管弁１４を経由して室内熱交換器１０に送られ、空気と熱交換し、気化される。気化した冷媒は、ガス管３およびガス管弁１３を通り圧縮機５に戻り、上記冷凍サイクルを繰り返す。
【００１６】
以上に示すとおり、暖房運転の際には、室内熱交換器１０の膨張弁９側から液管４内に液冷媒が存在している。また、冷房運転の際には、室内熱交換器１０の膨張弁９側から液管４内に気液二相となった冷媒が存在している。一方、ガス管３には、暖房運転および冷房運転のいずれの場合もガス冷媒が存在しており、冷媒の物質量としては、暖房運転および冷房運転のいずれの場合もガス管３よりも液管４の方に多くの冷媒が存在している。
【００１７】
暖房運転の際に冷媒の漏洩を検知した場合の冷凍サイクル装置の動作について、以下に説明する。
（１−１）暖房運転の際、室内漏洩検知センサ１２が冷媒の漏洩を検知した場合
室内機１に設置された室内漏洩検知センサ１２によって冷媒の漏洩が検知されると、制御装置は、ガス管弁１３を閉として膨張弁９を全開とする。暖房運転の際に、室内熱交換器１０の下流から液管４内に存在している液冷媒は、液管弁１４、膨張弁９、室外熱交換器７および圧縮機５を通り、ガス管３に移動する。室内機１側の冷媒を液管４を介してガス管３に回収し、制御装置が、圧縮機５の吸入側に設けられた圧力計からの信号によって、圧縮機５の吸入圧力が所定の値より低くなったと判断した場合、液管弁１４を閉とする。以上により、ガス管弁１３の室内熱交換器１０側から液管弁１４の室内熱交換器１０側までの間（ガス管弁１３−室内熱交換器１０−液管弁１４の間）の冷媒のほとんどがガス管弁１３と液管弁１４との間（ガス管弁１３−圧縮機５−室外熱交換器７−膨張弁９−液管弁１４の間）に移動し、冷媒が室外機２側に回収される。
【００１８】
以上より、本実施の形態に示す冷凍サイクル装置およびその制御方法では、暖房運転の際に室内漏洩検知センサ１２が冷媒の漏洩を検知した場合に、室内熱交換器１０の液管４内に存在している液冷媒が膨張弁９を介してガス管３側に速やかに移動するので、室内機１の冷媒を速やかにガス管３に回収できる。したがって、ガス管３側に存在するガス冷媒よりも物質量の多い液管４側に存在する冷媒を速やかに回収できるので、回収動作中の漏洩冷媒量も低減できる効果もある。
【００１９】
（１−２）暖房運転の際、室外漏洩検知センサ２２が冷媒の漏洩を検知した場合
室外機２に設置された室外漏洩検知センサ２２によって冷媒の漏洩が検知されると、制御装置は、液管弁１４を閉として膨張弁９を全開とする。液管弁１４の下流から液管４内に存在している液冷媒は、膨張弁９、室外熱交換器７、圧縮機５およびガス管３を通り、室内機１側に移動する。室外機２側の冷媒をガス管３を介して室内機１側に回収し、制御装置が、圧縮機５の吸入側に設けられた圧力計からの信号によって、圧縮機５の吸入圧力が所定の値より低くなったと判断した場合、ガス管弁１３を閉とする。以上により、液管弁１４の膨張弁９側からガス管弁１３の圧縮機５側までの間（液管弁１４−膨張弁９−室外熱交換器７−四方弁６−圧縮機５−ガス管弁１３の間）の冷媒のほとんどが液管弁１４とガス管弁１３との間（液管弁１４−室内熱交換器１０−ガス管弁１３の間）に移動し、室外機２側の冷媒が室内機１側に回収される。
以上より、本実施の形態に示す冷凍サイクル装置およびその制御方法では、暖房運転の際に室外漏洩検知センサ２２が冷媒の漏洩を検知した場合も、室外機２側の冷媒を室内機１側に速やかに回収することができるので、回収動作中の漏洩冷媒量も低減できる。
【００２０】
（１−３）冷房運転の際、室内漏洩検知センサ１２が冷媒の漏洩を検知した場合
室内機１に設置された室内漏洩検知センサ１２によって冷媒の漏洩が検知されると、制御装置は、液管弁１４を閉じ、膨張弁９を全開にする。冷房運転の際に、液管４内に存在している気液二相の冷媒は、室内熱交換器１０、ガス管３、ガス管弁１３および圧縮機５を通り、室外機２側に移動する。室内機１側の冷媒をガス管３を介して室内機１側に回収し、制御装置が、圧縮機５の吸入側に設けられた圧力計からの信号によって、圧縮機５の吸入圧力が所定の値より低くなったと判断した場合、ガス管弁１３を閉とする。以上により、液管弁１４の室内熱交換器１０側からガス管弁１３の室内熱交換器１０側までの間（液管弁１４−室内熱交換器１０−ガス管弁１３の間）の冷媒のほとんどが液管弁１４とガス管弁１３との間（液管弁１４−膨張弁９−室外熱交換器７−四方弁６−圧縮機５−ガス管弁１３の間）に移動し、室内機１側の冷媒が室外機２側に回収される。
以上より、本実施の形態に示す冷凍サイクル装置およびその制御方法では、冷房運転の際に室内漏洩検知センサ１２が冷媒の漏洩を検知した場合も、室内機１側の冷媒を室外機２側に速やかに回収することができるので、回収動作中の漏洩冷媒量も低減できる。
【００２１】
（１−４）冷房運転の際、室外漏洩検知センサ２２が冷媒の漏洩を検知した場合
室外機２に設置された室内漏洩検知センサ２２によって冷媒の漏洩が検知されると、制御装置は、圧縮機５を停止し、膨張弁９を全開にする。冷房運転の際に、室外熱交換器７の下流から膨張弁９に存在している液冷媒は、液管弁１４を通り、液管４に移動し、回収される。制御装置が、圧縮機５の吸入側に設けられた圧力計からの信号によって、圧縮機５の吸入圧力が所定の値より高くなったと判断した場合、液管弁１４を閉じる。その後、四方弁６を暖房運転に切り替えて圧縮機５を運転する。制御装置が、圧縮機５の吸入側に設けられた圧力計からの信号によって、圧縮機５の吸入圧力が所定の値より低くなったと判断した場合、ガス管弁１３を閉じる。以上により、室外機２側におけるガス管弁１３と液管弁１４との間（ガス管弁１３−圧縮機５−四方弁６−室外熱交換器７−膨張弁９−液管弁１４）の冷媒のほとんどが液管弁１４とガス管弁１３との間（液管弁１４−室内熱交換器１０−ガス管弁１３）に移動し、室外機２側の冷媒が室内機１側に回収される。
以上より、本実施の形態に示す冷凍サイクル装置およびその制御方法では、冷房運転の際に室外漏洩検知センサ２２が冷媒の漏洩を検知した場合も、室外機２側の冷媒を室内機１側に速やかに回収することができるので、回収動作中の漏洩冷媒量も低減できる。
【００２２】
なお、本実施の形態では、冷凍サイクル装置は、Ｒ４１０Ａ等の暖房運転の際に室内熱交換器１０（冷房運転の際に室外熱交換器７）で凝縮液化する冷媒を使用するとして記載した。二酸化炭素などの凝縮液化せずに超臨界状態となる冷媒でも、本実施の形態に示す冷凍サイクル装置は、冷媒を速やかに回収できるので回収動作中の漏洩冷媒量も低減できる効果がある。
【００２３】
また、本実施の形態では、圧縮機５の吸入側に設けられた圧力計からの信号によって、冷媒の回収等を判断したが、事前に実験で圧縮機５の吸入圧力が所定の圧力になるまでの時間を測定し、当該所定の時間を経過した場合に、圧縮機５の吸入圧力が所定の値になったとして冷媒の回収等を判断してもよい。
また、本実施の形態では、四方弁６を設け、冷房運転と暖房運転とを切り替える冷凍サイクル装置を示したが、四方弁を設けずに暖房運転のみを行う冷凍サイクル装置においても、同様の構成および上記（１−１）および（１−２）に示す動作によって、本実施の形態に示す冷凍サイクル装置と同様の効果を奏する。
【００２４】
実施の形態２．
図２は、この発明の実施の形態２による冷凍サイクル装置の構成を示す概略図である。本実施の形態に示す冷凍サイクル装置は、圧縮機の吸入側の配管に設けられる吸入弁１６、圧縮機５と吸入弁１６との間の配管および液管弁１４と室内熱交換器１０との間の液管４とを接続するバイパス管１８、このバイパス管１８に設けられるバイパス弁１７を備えている点が実施の形態１に示す冷凍サイクル装置と異なっている。その他の構成および機能は、実施の形態１に示す冷凍サイクル装置と同様であり、この実施の形態２による冷凍サイクル装置の通常運転の際の動作は、実施の形態１に示す冷凍サイクル装置と同様である。したがって、通常運転の際、吸入弁１６は開いており、バイパス弁１７は閉じている。
室内漏洩検知センサ１２および室外漏洩検知センサ２２の両方が冷媒の漏洩を検知した場合の冷凍サイクル装置の動作について、以下に説明する。なお、室内漏洩検知センサ１２のみが冷媒の漏洩を検知した場合の冷凍サイクル装置の動作は、実施の形態１に示した冷凍サイクル装置の動作と同様である。
【００２５】
（２−１）暖房運転の際、室内漏洩検知センサ１２および室外漏洩検知センサ２２の両方が冷媒の漏洩を検知した場合
室内機１に設置された室内漏洩検知センサ１２および室外機２に設置された室外漏洩検知センサ２２の両方によって冷媒の漏洩が検知されると、制御装置は、ガス管弁１３および液管弁１４を閉じ、バイパス弁１７を開け、膨張弁９を全開とする。暖房運転の際に、室内熱交換器１０の下流から液管４内に存在している液冷媒は、バイパス管１８、バイパス弁１７および圧縮機５を通り、ガス管３に移動する。また、室外機２側の冷媒は、膨張弁９、室外熱交換器７、四方弁６、吸入弁１６および圧縮機５を通り、ガス管３に移動する。室内機１側の冷媒および室外機２側の冷媒をガス管３に回収し、制御装置が、圧縮機５の吸入側に設けられた圧力計からの信号によって、圧縮機５の吸入圧力が所定の値より低くなったと判断した場合、吸入弁１６およびバイパス弁１７を閉とする。以上により、室内機１側の冷媒および室外機２側の冷媒が室外機２側に回収される。
【００２６】
本実施の形態２に示す冷凍サイクル装置およびその制御方法では、暖房運転の際に室内漏洩検知センサ１２および室外漏洩検知センサ２２の両方が冷媒の漏洩を検知した場合に、室内熱交換器１０の液管４内に存在している液冷媒がバイパス管１８およびバイパス弁１７を介してガス管３側に速やかに移動するので、室内機１の冷媒を速やかにガス管３に回収できる。したがって、ガス管３側に存在するガス冷媒よりも物質量の多い液管４側に存在する冷媒を速やかに回収できるので、回収動作中の漏洩冷媒量も低減できる効果もある。また、冷媒を液管４よりも流路断面積の大きいガス管３側に回収するため、室内機１側および室外機２側の両方から冷媒が漏れた場合でも、多くの冷媒をガス管３に回収することができ、漏洩冷媒量を低減できる。
【００２７】
（２−２）冷房運転の際、室内漏洩検知センサ１２および室外漏洩検知センサ２２の両方が冷媒の漏洩を検知した場合
室内機１に設置された室内漏洩検知センサ１２および室外機２に設置された室外漏洩検知センサ２２の両方によって冷媒の漏洩が検知されると、制御装置は、圧縮機５を停止しガス管弁１３を閉とし、膨張弁９を全開とする。室外熱交換器７の下流から膨張弁９に存在している液冷媒は、液管弁１４を通り、液管４に移動し、回収される。制御装置が、圧縮機５の吸入側に設けられた圧力計からの信号によって、圧縮機５の吸入圧力が所定の値より高くなったと判断した場合、液管弁１４を閉じる。その後、四方弁６を暖房運転に切り替えて圧縮機５を運転し、バイパス弁を開とする。制御装置が、圧縮機５の吸入側に設けられた圧力計からの信号によって、圧縮機５の吸入圧力が所定の値より低くなったと判断した場合、吸入弁１６およびバイパス弁１７を閉じる。以上により、室内機１側の冷媒および室外機２側の冷媒が室外機２側に回収される。
【００２８】
本実施の形態２に示す冷凍サイクル装置およびその制御方法では、冷房運転の際に室内漏洩検知センサ１２および室外漏洩検知センサ２２の両方が冷媒の漏洩を検知した場合に、室外熱交換器７の下流から液管４内に存在している液冷媒がバイパス管１８およびバイパス弁１７を介してガス管３側に速やかに移動する。したがって、ガス管３側に存在するガス冷媒よりも物質量の多い液管４側に存在する冷媒を速やかに回収できるので、回収動作中の漏洩冷媒量も低減できる効果もある。また、冷媒を液管４よりも流路断面積の大きいガス管３側に回収するため、室内機１側および室外機２側の両方から冷媒が漏れた場合でも、多くの冷媒をガス管３に回収することができ、漏洩冷媒量を低減できる。
【符号の説明】
【００２９】
１  室内機、２  室外機、３  ガス管、４  液管、５  圧縮機、６  四方弁、７  室外熱交換器、８  室外ファン、９  膨張弁、１０  室内熱交換器、１１  室内ファン、１２  室内漏洩検知センサ、１３  ガス管弁、１４  液管弁、１６  吸入弁、１７  バイパス弁、１８  バイパス管、２２  室外漏洩検知センサ。
【図１】
0005481981.tif 000002
【図２】
0005481981.tif 000003